(57)【要約】【課題】居住者が応答する前に来訪者の用件をある程度察知することが可能であり、迷惑な来訪者である場合には、応答することなく居留守を使うことが可能なインターホンシステムを提供する。【解決手段】子機２は、来訪者によって操作される第２操作部２１と、所定の画像を表示するための第２画像表示装置２４と、撮像装置２６と、来訪者の存在を検出する来訪者検出部２９を備え、来訪者検出部２９によって来訪者の存在が検出されたときに、第２画像表示装置２４の画面に、少なくとも２以上の来訪の用件及び来訪者に対していずれかの来訪の用件を選択するメッセージを含む来訪用件表示画像を表示し、来訪者がいずれかの来訪の用件が選択されたときに、親機１の第１画像表示装置１４の画面に来訪者の画像と共に選択された来訪の用件を表示する。【選択図】図１
2011120098.tif 000002
【特許請求の範囲】
【請求項１】
親機と子機で構成されるインターホンシステムであって、
前記親機は、居住者によって操作される第１操作部と、来訪者と居住者の間で通話するための第１マイクロホン及び第１スピーカと、所定の画像を表示するための第１画像表示装置と、前記第１画像表示装置の画面に所定の画像を表示するための第１画像表示制御部を備え、
前記子機は、来訪者によって操作される第２操作部と、来訪者と居住者の間で通話するための第２マイクロホン及び第２スピーカと、所定の画像を表示するための第２画像表示装置と、前記第２画像表示装置の画面に所定の画像を表示するための第２画像表示制御部と、来訪者の存在を検出する来訪者検出部を備え、
前記来訪者検出部によって来訪者の存在が検出されたときに、前記第２画像表示制御部は、前記第２画像表示装置の画面に、少なくとも２以上の来訪の用件及び来訪者に対していずれかの来訪の用件を選択するメッセージを含む来訪用件表示画像を表示し、
来訪者が前記第２操作部を操作することによっていずれかの来訪の用件が選択されたときに、前記第１画像表示制御部は、前記第１画像表示装置の画面に選択された来訪の用件を表示することを特徴とするインターホンシステム。
【請求項２】
前記親機は、前記第１スピーカから出力される音声を制御する音声制御部をさらに備え、
来訪者が前記第２操作部を操作することによっていずれかの来訪の用件が選択されたときに、前記音声制御部は、選択された来訪の用件に応じて、異なる音色で前記第１スピーカから呼び出し音を出力することを特徴とする請求項１に記載のインターホンシステム。
【請求項３】
前記子機は、所定範囲の画像を撮像するための撮像装置をさらに備え、
前記来訪者検出部によって来訪者の存在が検出されたときに、前記撮像装置は、撮像を開始し、前記第１画像表示制御部は、前記撮像装置によって撮像された画像を前記第１画像表示装置の画面に表示することを特徴とする請求項１又は請求項２に記載のインターホンシステム。
【請求項４】
居住者による前記第１操作部の操作に応じて、前記第２画像表示制御部は、前記撮像装置によって撮像された画像を前記第２画像表示装置の画面に表示することを特徴とする請求項３に記載のインターホンシステム。
【請求項５】
居住者による前記第１操作部の操作に応じて、前記第２画像表示制御部は、前記第２画像表示装置の画面に表示された前記撮像装置によって撮像された画像の上に、さらに警告文を重ねて表示することを特徴とする請求項４に記載のインターホンシステム。
【請求項６】
前記来訪者検出部は人体感知センサであり、
前記第２操作部及び前記第２画像表示装置は、液晶パネル上に透明の入力装置が設けられたタッチパネルであり、
前記人体感知センサが所定範囲内に人の存在を検知したときに、前記タッチパネルの画面上に来訪用件表示画像が表示されることを特徴とする請求項１乃至請求項５のいずれか一項に記載のインターホンシステム。
【請求項７】
前記来訪用件表示画像は、階層的に表示されることを特徴とする請求項１乃至請求項６のいずれか一項に記載のインターホンシステム。
【請求項８】
前記第２操作部は、文字情報を入力可能であり、前記階層的に表示された前記来訪用件表示画像の最下層には、来訪者に対して来訪の用件を文字入力させるメッセージが表示されることを特徴とする請求項７に記載のインターホンシステム。
【発明の詳細な説明】
【技術分野】
【０００１】
本発明は、インターホンシステム、特に玄関先に設置される室外装置にモニタ画面を設けたインターホンシステムに関する。
【背景技術】
【０００２】
一般的なインターホンシステムでは、玄関先に設置される室外装置（子機）には、来訪者によって操作される呼び出しボタン（集合住宅における部屋番号を入力するためのテンキーを含む）、マイクロホン、スピーカ及び必要に応じて撮像装置が設けられているのみであり、動画を含む２次元画像を表示するためのモニタ画面は備えられていない。
【０００３】
来訪者が呼び出しボタンを操作すると、室内装置（親機）からチャイムなどの呼び出し音が出力されると共に、撮像装置が設けられている場合はその撮像装置が撮像を開始し、室内装置のモニタ画面に来訪者の姿が映し出される。撮像装置が設けられている場合は、居住者は、モニタ画面に映し出された来訪者の姿を確認して、呼び出しに応答するか否かを判断することができる。そして、室内装置の受話器を取り又は応答ボタンを押すことによって、室内装置と室外装置の間で通話が可能になる。
【０００４】
来訪者の中には、セールスや勧誘など居住者にとって迷惑なものも存在するが、その要件は実際に会話をしてみないと分からない。手慣れたセールスマンや勧誘者は、容易には引き下がらず、気の弱い居住者は断りづらいという問題を有している。また、結果的に、居住者が根負けして、不要なものを購入したり、意に反する契約をさせられたりするなど、社会的な問題となることも少なくない。撮像装置が設けられている場合であっても、手慣れたセールスマンや勧誘者は、撮像装置に近づいたりして、自分の姿がはっきりとは写らないようにするなど、様々なテクニックを有している。
【０００５】
特許文献１には、玄関先に設置される室外装置にモニタ画面を設け、室内装置からの操作によって、室外装置にモニタ画面に警告表示を表示可能なドアホンシステムが提案されている。このようなドアホンシステムによっても、迷惑な来訪者を退散させることは可能であるが、居住者が来訪者と会話して、来訪の用件を確認していることが前提となる。従って、言葉巧みな手慣れたセールスマンや勧誘者であれば、虚偽の用件を言って扉を開けさせてしまうことも可能である。また、来訪者に居住者が在宅していることを知られてしまうという問題がある。
【先行技術文献】
【特許文献】
【０００６】
【特許文献１】特開２００８−１１３３９６号公報
【発明の概要】
【発明が解決しようとする課題】
【０００７】
本発明は、上記従来例の問題を解決するためになされたものであり、居住者が応答する前に来訪者の用件をある程度察知することが可能であり、迷惑な来訪者である場合には、応答することなく居留守を使うことが可能なインターホンシステムを提供することを目的とする。
【課題を解決するための手段】
【０００８】
上記目的を達成するために請求項１の発明は、親機と子機で構成されるインターホンシステムであって、前記親機は、居住者によって操作される第１操作部と、来訪者と居住者の間で通話するための第１マイクロホン及び第１スピーカと、所定の画像を表示するための第１画像表示装置と、前記第１画像表示装置の画面に所定の画像を表示するための第１画像表示制御部を備え、前記子機は、来訪者によって操作される第２操作部と、来訪者と居住者の間で通話するための第２マイクロホン及び第２スピーカと、所定の画像を表示するための第２画像表示装置と、前記第２画像表示装置の画面に所定の画像を表示するための第２画像表示制御部と、来訪者の存在を検出する来訪者検出部を備え、前記来訪者検出部によって来訪者の存在が検出されたときに、前記第２画像表示制御部は、前記第２画像表示装置の画面に、少なくとも２以上の来訪の用件及び来訪者に対していずれかの来訪の用件を選択するメッセージを含む来訪用件表示画像を表示し、来訪者が前記第２操作部を操作することによっていずれかの来訪の用件が選択されたときに、前記第１画像表示制御部は、前記第１画像表示装置の画面に選択された来訪の用件を表示することを特徴とする。
【０００９】
請求項２の発明は、請求項１に記載のインターホンシステムにおいて、前記親機は、前記第１スピーカから出力される音声を制御する音声制御部をさらに備え、来訪者が前記第２操作部を操作することによっていずれかの来訪の用件が選択されたときに、前記音声制御部は、選択された来訪の用件に応じて、異なる音色で前記第１スピーカから呼び出し音を出力することを特徴とする。
【００１０】
請求項３の発明は、請求項１又は請求項２に記載のインターホンシステムにおいて、前記子機は、所定範囲の画像を撮像するための撮像装置をさらに備え、前記来訪者検出部によって来訪者の存在が検出されたときに、前記撮像装置は、撮像を開始し、前記第１画像表示制御部は、前記撮像装置によって撮像された画像を前記第１画像表示装置の画面に表示することを特徴とする。
【００１１】
請求項４の発明は、請求項３に記載のインターホンシステムにおいて、居住者による前記第１操作部の操作に応じて、前記第２画像表示制御部は、前記撮像装置によって撮像された画像を前記第２画像表示装置の画面に表示することを特徴とする。
【００１２】
請求項５の発明は、請求項４に記載のインターホンシステムにおいて、居住者による前記第１操作部の操作に応じて、前記第２画像表示制御部は、前記第２画像表示装置の画面に表示された前記撮像装置によって撮像された画像の上に、さらに警告文を重ねて表示することを特徴とする。
【００１３】
請求項６の発明は、請求項１乃至請求項５のいずれか一項に記載のインターホンシステムにおいて、前記来訪者検出部は人体感知センサであり、前記第２操作部及び前記第２画像表示装置は、液晶パネル上に透明の入力装置が設けられたタッチパネルであり、前記人体感知センサが所定範囲内に人の存在を検知したときに、前記タッチパネルの画面上に来訪用件表示画像が表示されることを特徴とする。
【００１４】
請求項７の発明は、請求項１乃至請求項６のいずれか一項に記載のインターホンシステムにおいて、前記来訪用件表示画像は、階層的に表示されることを特徴とする。
【００１５】
請求項８の発明は、請求項７に記載のインターホンシステムにおいて、前記第２操作部は、文字情報を入力可能であり、前記階層的に表示された前記来訪用件表示画像には、来訪者に対して来訪の用件を文字入力させるメッセージが表示されることを特徴とする。
【発明の効果】
【００１６】
請求項１の発明によれば、子機の第２画像表示装置の画面上に来訪の用件及び来訪者に対していずれかの来訪の用件を選択するメッセージが表示されるので、来訪者はいずれかの用件を選択しない限り居住者は応答しないことが分かる。従って、この段階である程度の迷惑な来訪者を排除することができる。一方、来訪者が来訪の用件を選択すると、その選択された来訪の用件が親機の第１画像表示装置の画面に表示されるので、居住者は、来訪者と会話する前に用件を察知することができる。そして、応答すべきでないと判断したときは、そのまま応答せずに放置すればよい。また、来訪者が虚偽の用件を選択した場合でも、来訪者との会話から来訪者が不審者又は迷惑な人であることを察知することができ、来訪者に対して虚偽の事実を指摘することができる。来訪者検出部としては、例えば来訪者により操作される呼び出しボタンや、後述するタッチパネルや人体感知センサなどを用いることができる。なお、来訪者が前記第２操作部を操作したときに、第１スピーカからチャイムなどの呼び出し音が出力されることはいうまでもない。
【００１７】
請求項２の発明によれば、選択された来訪の用件に応じて、異なる音色で第１スピーカから呼び出し音が出力されるので、居住者は親機の第１画像表示装置の画面に表示された用件を確認するまでもなく、呼び出し音によって来訪者の用件を察知することができる。
【００１８】
請求項３の発明によれば、撮像装置によって撮像された来訪者の画像が親機の第１画像表示装置の画面に表示されるので、来訪者が選択した用件が真実であるか否かを、居住者は容易に判断することができる。例えば、郵便や宅配の場合、来訪者は制服を着ており、また、手に郵便物や荷物などを持っているので、セールスマンや勧誘者などが虚偽の用件を選択しても、選択された用件が虚偽であることが一目瞭然となる。
【００１９】
請求項４の発明によれば、居住者が来訪者に対して不審を抱いた場合、第１操作部を操作することによって、撮像装置によって撮像された画像を子機の第１画像表示装置の画面に表示することができる。すなわち、来訪者は、自分の姿が撮像装置によって撮像されていることを認識する。一般的に、詐欺や押し売りなど悪事を働こうとする者は、自己の姿を録画されることを嫌うので、この段階で退散する可能性が高くなる。
【００２０】
請求項５の発明によれば、不審な来訪者に対して、早急に退散しなければ「録画中」などの撮像された画像の上に警告文が重ねて表示されるので、来訪者が退散する可能性がさらに高くなる。
【００２１】
請求項６の発明によれば、来訪者が子機から一定の範囲に近づくまで、タッチパネルの画面上に来訪用件表示画像が表示されないので、常時タッチパネルのバックライトを点灯させることなく、節電を図ることができる。
【００２２】
請求項７の発明によれば、来訪用件表示画像が階層的に表示されるので、第２表示装置の表示画面を小さくすること、ひいては、子機自体を小型化することができる。
【００２３】
請求項８の発明にいれば、来訪用件表示画像に用意されていない特殊な用件の場合や、居住者が不在の場合にメッセージなどを、来訪者に入力してもらうことができる。
【図面の簡単な説明】
【００２４】
【図１】本発明の第１実施形態に係る示すインターホンシステムの構成を示すブロック図。
【図２】第１実施形態における室外装置（子機）第２画像表示装置に表示される初期画像（来訪用件表示画像）の表示例を示す図。
【図３】室内装置（親機）の第１画像表示装置の画面に表示される来訪者の画像に、重ねて来訪の用件を文字表示した表示例を示す図。
【図４】室内装置（親機）の第１画像表示装置の画面に表示される来訪者の画像に、重ねて（虚偽の）来訪の用件を文字表示した表示例を示す図。
【図５】室外装置の第２画像表示装置の画面に来訪者自身の画像を表示した表示例を示す図。
【図６】第１実施形態に係るインターホンシステムの動作を示すフローチャート。
【図７】第２実施形態における室外装置（子機）第２画像表示装置に表示される初期画像の表示例を示す図。
【図８】第２実施形態における室外装置（子機）第２画像表示装置に表示される来訪用件表示画像の表示例を示す図。
【図９】第２実施形態に係るインターホンシステムの動作を示すフローチャート。
【発明を実施するための形態】
【００２５】
（第１実施形態）
本発明の第１実施形態に係るインターホンシステムについて説明する。第１実施形態に係るインターホンシステムは、室内装置（親機）１と室外装置（子機）２で構成される。室内装置１は、居住者によって操作される第１操作部１１と、来訪者と居住者の間で通話するための第１マイクロホン１２及び第１スピーカ１３と、所定の画像を表示するための第１画像表示装置１４と、第１画像表示装置１４の画面に所定の画像を表示するための第１画像表示制御部１５と、第１スピーカから出力される音声を制御する音声制御部１６と、室内装置１の全体を制御するための親機制御部１７と、室外装置２との間で信号の送受信を行うインターフェース（Ｉ／Ｆ）１８と、必要に応じて撮像装置２６によって撮像された画像を記憶するための記憶部１９を備えている。
【００２６】
一方、室外装置２は、来訪者によって操作される第２操作部２１と、来訪者と居住者の間で通話するための第２マイクロホン２２及び第２スピーカ２３と、所定の画像を表示するための第２画像表示装置２４と、第２画像表示装置２４の画面に所定の画像を表示するための第２画像表示制御部２５と、室外装置２の周囲の所定範囲の画像を撮像するための撮像装置２６と、室外装置２の全体を制御するための子機制御部２７と、室内装置１との間で信号の送受信を行うインターフェース（Ｉ／Ｆ）２８と、来訪者の存在を検出する来訪者検出部２９を備えている。
【００２７】
室外装置２には、来訪者によって操作される呼び出しボタンの他に、いわゆるタッチパネルが設けられており、タッチパネルの操作画面が第２操作部２１の一部として機能し、タッチパネルの表示画面が第２画像表示装置２４として機能する。なお、第２操作部２１及び第２画像表示装置２４はタッチパネルに限定されるものではなく、前者はいわゆるテンキーやカーソルキーなどの操作ボタンであってもよく、後者は表示機能のみを備えた液晶パネルなどの表示装置であってもよい。第１操作部１１及び第１画像表示装置１４についても同様である。また、呼び出しボタンをタッチパネル上に表示してもよい。
【００２８】
第１実施形態では、来訪者検出部２９として、来訪者によって操作される呼び出しボタンを用いた場合を例にして説明するが、これに限定されるものではなく、来訪者が第２操作部２１に触れたこと又は操作したことを検出するような静電容量式のセンサ（タッチパネル）などであってもよいし、人体から発せられる赤外線を検出する焦電式の人体感知センサなどであってもよい。また、インターフェース１８と２８の間は有線接続されていてもよいし、あるいは、電波による無線通信装置で接続されていてもよい。
【００２９】
第１画像表示制御部１５、音声制御部１６及び親機制御部１７は、例えば同一のＣＰＵ、ＲＯＭ及びＲＡＭなどで構成された制御装置であり、ＲＯＭにインストールされた制御プログラムに従ってそれぞれの機能を実行する。第２画像表示制御部２５及び子機制御部２７も同様に、親機制御部１７などとは別のＣＰＵ、ＲＯＭ及びＲＡＭなどで構成されている。記憶部１９としては、例えばハードディスク装置やＳＤカードなどの大容量記憶装置を用いることができる。
【００３０】
次に、このインターホンシステムの動作について、図２乃至図５に示す画面表示例及び図６に示すフローチャートを参照しつつ説明する。図２は、来訪者検出部２９によって来訪者の存在が検出されたときの第２画像表示装置２４に表示される初期画像の表示例を示す。第１実施形態は、例えば戸建て住戸に使用される場合を例示しており、集合住宅のような部屋番号を入力する画像は省略されている。また、図３及び図４は、室内装置１の第１画像表示装置１４の画面１４ａに表示される来訪者の画像に、重ねて来訪の用件を文字表示した表示例を示す。図５は、室外装置２の第２画像表示装置２４の画面２４ａに来訪者自身の画像を表示した表示例を示す。
【００３１】
来訪者が呼び出しボタンを押すと又はタッチパネル上の呼び出しボタンに手を触れると（＃１）、来訪者検出部２９が来訪者の検出に対応した所定の呼び出し信号を出力するので、子機制御部２７は、その呼び出し信号をインターフェース２８及び１８を介して室内装置１に送信する。親機制御部１７は、呼び出し信号を受信すると、音声制御部１６を介して、第１スピーカ１３から所定の呼び出し音を出力する（＃２）。それと平行して、子機制御部２７は、撮像装置２６を起動して来訪者の画像を撮像させ、撮像装置２６からの画像信号をインターフェース２８及び１８を介して室内装置１に送信する。第１画像表示制御部１５は、受信した画像信号を用いて、第１画像表示装置１４の画面上に来訪者の画像を表示する（＃３）。
【００３２】
ここで、来訪者が家族や知人である場合、第１画像表示装置１４の画面上に来訪者の画像からすぐにそれと判断できるので、居住者はインターホンの応答ボタンを操作するか又はオートロックなどの解錠ボタンを操作すると考えられる。従って、一定時間内に、居住者が第１操作部１１を操作した場合は、以下の動作を行わずに終了する（＃４でＹｅｓ）。それによって、来訪者に対して来訪の用件を選択させる煩わしさを解消することができる。
【００３３】
一方、一定時間内にそれらの操作を行わなかった場合には（＃４でＮｏ）、第１画像表示制御部１５は、インターフェース１８及び２８を介して、室外装置２の第２画像表示装置２４の画面２４ａに、図２に示すような「集金・出前」、「郵便・宅配」、「セールス・勧誘」、「その他」など複数の来訪の用件及び来訪者に対していずれかの来訪の用件を選択するメッセージを含む来訪用件表示画像を表示させる（＃５）。そして、所定時間内に、来訪者が第２操作部２１として機能するタッチパネルの画面上に表示されたいずれかの来訪の用件に手を触れると（＃６でＹｅｓ）、子機制御部２７は、来訪者が選択した用件に対応した用件選択信号をインターフェース２８及び１８を介して室内装置１に送信する。
【００３４】
親機制御部１７が所定の用件選択信号を受信すると、第１画像表示制御部１５は、図３に示すように、室内装置１の第１画像表示装置の画面に来訪者の画像に、さらに選択された来訪の用件を重ねて表示する（＃７）。また、室外装置２の第２画像表示装置２４の画面上に来訪の用件及び来訪者に対していずれかの来訪の用件を選択するメッセージが表示されるので、来訪者はいずれかの用件を選択しない限り居住者は応答しないことが分かる。従って、その段階である程度、セールスや勧誘などの迷惑な来訪者を排除することができる（＃６でＮｏ）。
【００３５】
図３に示す表示例では、来訪者が来訪用件として正しく「郵便・宅配」を選択した場合を例示する。一方、図４に示す表示例では、来訪者が来訪用件として虚偽の「郵便・宅配」を選択した場合を例示する。通常、郵便や宅配の場合、来訪者は制服を着ているし、また、手に郵便物や荷物などを持っている。一方、訪問販売などのセールスや勧誘の場合、外見上明らかに郵便や宅配の配達員とは異なる。そのため、来訪者が選択した用件が真実であるか否かを、居住者は容易に判断することができる。そして、居住者が応答すべきでないと判断したときは（＃８でＮｏ）、そのまま応答せずに放置すればよい。また、居住者が来訪者と応対すべきでありと判断したときは（＃８でＹｅｓ）、第１操作部１１の応答ボタンなどを操作して、来訪者と通話することができる（＃９）。
【００３６】
一方、居住者が来訪者と通話することを選択した場合でも、来訪者との会話から来訪者が虚偽の用件を選択したことが分かる場合もあり得る。手慣れたセールスマンや勧誘者などは言葉を巧みに操ってなかなか退散せず、居住者が根負けして不要なものを購入させられたり、意に反する契約をさせられたりしてしまうことも少なくない。そこで、本実施形態では、居住者が来訪者に対して不審を抱いた場合、第１操作部１１を操作することによって、図５に示すように、撮像装置２６によって撮像された画像を室外装置２の第２画像表示制御部２５を介して第２画像表示装置２４の画面に表示することができる。すなわち、来訪者に、自分の姿が撮像装置２６によって撮像されていることを認識させることができる。一般的に、詐欺や押し売りなど悪事を働こうとする者は、自己の姿を録画されることを嫌うので、この段階で退散する可能性が高くなる。また、撮像装置２６によって撮像された画像の上に、さらに「録画中」などの警告文を重ねて表示してもよい。さらに、撮像装置２６によって撮像された画像を記憶部１９に録画してもよい。
【００３７】
（第２実施形態）
次に、本発明の第２実施形態に係るインターホンシステムについて説明する。第２実施形態に係るインターホンシステムは、例えば集合住宅などに設置され、複数の室内装置（親機）１と１又は複数の室外装置２で構成されるものとする。個々の室内装置（親機）１及び室外装置（子機）２の基本的な構成は図１に示す第１実施形態の場合と同様である。また、来訪者検出部２９として、人体感知センサを用いるものとする。
【００３８】
来訪者検出部２９として機能する人体感知センサが来訪者を検知すると（＃１１）、第２画像表示制御部２５は、第２画像表示装置２４の画面２４ａに、図７に示すような、訪問先の部屋番号を入力させるための初期画面を表示する。例えば、来訪者がタッチパネル上の「７」、「０」及び「３」の順に触れると部屋番号として「０７０３」と表示され、次に「呼出」に触れると、７０３号室の室内装置１が呼び出される。次に、第２画像表示制御部２５は、第２画像表示装置２４の画面２４ａに、図８に示すような来訪用件表示画像が表示される（＃１２）。来訪用件選択の一例として、来訪者は、階層順に「その他」及び「知人」を選択し、キーボードを操作して自己の氏名などを入力する（＃１３）。
【００３９】
来訪用件の選択が完了すると、子機制御部２７は、所定の呼び出し信号をインターフェース２８及び１８を介して室内装置１に送信する。親機制御部１７は、呼び出し信号を受信すると、音声制御部１６を介して、第１スピーカ１３から所定の呼び出し音を出力する（＃１４）。それと平行して、子機制御部２７は、撮像装置２６を起動して来訪者の画像を撮像させ、撮像装置２６からの画像信号をインターフェース２８及び１８を介して室内装置１に送信する。第１画像表示制御部１５は、受信した画像信号を用いて、第１画像表示装置１４の画面上に来訪者の画像に、さらに選択された来訪の用件を重ねて表示する（＃１５）。そして、居住者が応答すべきでないと判断したときは（＃１６でＮｏ）、そのまま応答せずに放置すればよい。また、居住者が来訪者と応対すべきであると判断したときは（＃１６でＹｅｓ）、第１操作部１１の応答ボタンなどを操作して、来訪者と通話することができる（＃１７）。
【００４０】
なお、第２実施形態では、室内装置１に呼び出し信号が送信された時点で来訪者の来訪用件が選択されているので、音声制御部１６は、選択された来訪の用件に応じて、異なる音色で第１スピーカ１３から呼び出し音を出力するように構成してもよい。それにより、居住者は、室内装置１の第１画像表示装置１４の画面１４ａに表示された用件を確認するまでもなく、呼び出し音によって来訪者の用件を察知することができる。
【００４１】
なお、本発明に係るインターホンシステムは、上記実施形態に限定されるのもではなく、集合住宅のエントランスと各住戸の室内に設けられるインターホンシステムや、研究施設など部外者の入室を禁止するような施設に設けられるインターホンシステムとして用いることができる。また、室外装置（子機）は、必ずしも撮像装置を備えている必要はなく、少なくとも、来訪者に来訪の用件を選択して入力させるための第２画像表示装置及び第２操作部を備えていればよい。同様に、室内装置（親機）も、必ずしも記憶部及び音声制御部を備えている必要はない。
【００４２】
さらに、第２実施形態のようにタッチパネル上に文字入力にためのキーボードが表示される場合、来訪用件表示画像に用意されていない特殊な用件の場合や、居住者が不在の場合にメッセージなどを、来訪者に入力してもらうことができる。
【符号の説明】
【００４３】
１  室内装置（親機）
２  室外装置（子機）
１１  第１操作部
１２  第１マイクロホン
１３  第１スピーカ
１４  第１画像表示装置
１５  第１画像表示制御部
１６  音声制御部
１７  親機制御部
１８  インターフェース（Ｉ／Ｆ）
１９  記憶部
２１  第２操作部
２２  第２マイクロホン
２３  第２スピーカ
２４  第２画像表示装置
２５  第２画像表示制御部
２６  撮像装置
２７  子機制御部
２８  インターフェース（Ｉ／Ｆ）
２９  来訪者検出部
【図１】
2011120098.tif 000003
【図２】
2011120098.tif 000004
【図３】
2011120098.tif 000005
【図４】
2011120098.tif 000006
【図５】
2011120098.tif 000007
【図６】
2011120098.tif 000008
【図７】
2011120098.tif 000009
【図８】
2011120098.tif 000010
【図９】
2011120098.tif 000011